(57)【特許請求の範囲】
【請求項１】
無線チャネルを介して伝送される受信信号からチャネルを見積もるための方法であって、
受信装置の受信センサはＫａ個の受信信号を受信し、該受信信号は、送信機個有の微細構造によって特徴付けられている少なくとも１つの加入者信号から合成されて成り、ここでｋ番目の加入者信号（ｋ＝１…Ｋ）は受信場所における入射方向（ＤＯＡ）が種々異なっているＫｄ個の部分波によって伝送され、
受信装置において加入者信号の部分波の少なくとも１つの入射方向を使用できるようにし、
前記Ｋａ個の受信信号および入射方向（ＤＯＡ）から方向選択性のチャネルパルス応答（ｈ）を求めるチャネル見積もり方法。
【請求項２】
前記方向選択性のチャネルパルス応答（ｈ）を、加入者信号の、送信機個有の微細構造を形成するトレーニングシーケンス（ｔｓｅｑ１、ｔｓｅｑ２，…ｔｓｅｑＫ）から突き止める
請求項１記載の方法。
【請求項３】
加入者信号は複数の送信機（ＭＳ）または反射体（Ｐ１，Ｐ２）から、受信装置に複数の受信信号に重畳されて到来し、ここで該信号は同時に１つの周波数チャネルにおいて伝送される
請求項１または２記載の方法。
【請求項４】
部分波の入射方向（ＤＯＡ）および／または障害信号の入射方向（ＤＯＡｓ）は受信装置に先験的な知識として存在している
請求項１から３までのいずれか１項記載の方法。
【請求項５】
部分波の入射方向（ＤＯＡ）および／または障害信号の入射方向（ＤＯＡｓ）を受信信号から突き止める
請求項１から３までのいずれか１項記載の方法。
【請求項６】
部分波の入射方向（ＤＯＡ）を求めるために少なくとも、障害信号の入射方向（ＤＯＡｓ）および／または相関マトリクスを考慮する
請求項５記載の方法。
【請求項７】
受信信号から方向選択性ではないチャネルパルス応答（ｇ）を突き止め、かつ
前記方向選択性ではないチャネルパルス応答（ｇ）から少なくとも１つの部分波の入射方向（ＤＯＡ）を突き止める
請求項５記載の方法。
【請求項８】
前記方向選択性のチャネルパルス応答（ｈ）を送信機（ＭＳ）ないし反射体（Ｐ１，Ｐ２）に対応付けるために、加入者信号は個有のトレーニングシーケンス（ｔｓｅｑ１，ｔｓｅｑ２，…ｔｓｅｑＫ）によって分離可能である
請求項１から７までのいずれか１項記載の方法。
【請求項９】
前記方向選択性のチャネルパルス応答（ｈ）を送信機（ＭＳ）に対応付けるために、加入者信号は個有の加入者コード（ｔｃ１，ｔｃ２，…ｔｃＫ）を用いた非拡散化によって分離可能である
請求項１から８までのいずれか１項記載の方法。
【請求項１０】
部分波の入射方向（ＤＯＡ）を突き止めるために、ある時間間隔にわたる突き止められた値の平均化を行う
請求項４または５記載の方法。
【発明の詳細な説明】
本発明は、有利には移動無線システムにおいて使用することができる無線チャネルを介して伝送される受信信号からチャネルを見積もるための方法に関する。
移動無線システムにおいて、送信側の無線局から受信側の無線局に情報が伝送される。これらの情報は、受信側の無線局に受信信号の形で到達する。種々の外部の影響によって、受信信号は、受信側の無線局に複数の走行路を介して到達する。種々異なった走行路に相応する信号成分が、受信側の無線局に部分波の形で連続する時点において到着する。そこで受信側の無線局において、その上別の障害成分によって影響を受けている可能性があるこれら信号成分を等化し、エラーを補正しかつ伝送された情報を復号化するという問題がある。
受信信号を評価するために、受信装置内で、チャネル条件を考慮するためのパラメータが決定される。これらパラメータは例えば、W.Koch著“Optium and sub-optoim detection of coded data distured by time-varying intersymbol intererence”、IEEE Proceedings  １９９０年、第１６７９〜８４頁、から公知のチャネルパルス応答である。これらはチャネル係数によって表される。チャネルモデルにおいて使用されるこれらのチャネル係数は、受信信号の種々の順次到着する信号成分を適当に重畳するために用いられる。
更に、受信信号からベースバンドへの伝送およびＡＤ変換によって得られたデジタル化された受信信号、並びにチャネルパルス応答を検出器に供給することが公知り、その際検出器は受信信号を等化しかつエラー補正を行う。検出器の出力側において再構成された、信号のシンボルがこれに基づいてデコーダ、例えばビタビ・デコーダにおいて復号化される。
移動無線システム（M. -B.Pautet著、“The GSM System for Mobie Communication”、49. rue Louise Bruneau, F-91120 Palaiseau、フランス国、１９９２年、第２３１〜２３７頁参照）から、所謂トレーニングシーケンスを利用して、受信側の無線局を調整することが公知である。前もって決められている時点で、送信側の無線局はデジタルシンボルのシーケンスを送信する。これは受信側の無線局には既知であり、即ちそのデータは受信側の無線局に歪みを受けていない状態で存在している。
本発明の課題は、チャネルパルス応答を障害に対して強く、改善された手法で求めることができるようにする、チャネル見積もり方法を提供することである。この課題は、請求項１の特徴部分に記載の方法によって解決される。本発明の有利な実施の形態は従属請求項に記載されているとおりである。
無線チャネルを介して伝送される受信信号からチャネルを見積もる本発明の方法では、受信装置にＫａ個の受信センサが配属されていて、これらセンサを介してこれら受信センサに配属されているＫａ個の受信信号が受信される。受信信号は、送信機個有の微細構造が刻印されている少なくとも１つの加入者信号から合成されて成り、その際ｋ番目の加入者信号（ｋ＝１…Ｋ）は受信場所への入射方向が異なっている、Ｋｄ個の部分波によって伝送される。第１のステップにおいて加入者信号の部分波の少なくとも１つの入射方向が評価され、その結果第２のステップにおいて、Ｋａ個の受信信号および少なくとも１つのこの入射方向から方向選択性のチャネル応答が求められる。
数多くの用途において、例えば１つまたは僅かな数の送信機または反射体しか有していないレーダ、ソナーまたは地震測定システムにおいて（このために米国特許第５２９９１４８号明細書参照）、受信センサの数Ｋａは加入者毎に評価すべき部分波の数Ｋより大きいので、本発明の方法によれば、Ｋａ−Ｋｄ個の僅かなチャネルパルス応答を突き止めさえすればよい。これにより、チャネル見積もりの際のコスト低減も生じる。
付加的に、部分波の入射方向への集中によって障害の影響は著しく低減される。チャネル見積もりは比較的正確になる。
本発明の有利な実施の形態によれば、方向選択性のチャネルパルス応答は送信機個有の微細構造を形成する、加入者信号のトレーニングシーケンスから突き止められる。加入者信号が、受信機側において既知であるトレーニングシーケンスを含んでいれば、受信装置において更に検出すべきデータを用いる場合よりも正確なチャネル見積もりが可能である。これにより更に、この方法は既存の移動無線システムにおいて容易に実現される。
別の有利な形態では、加入者信号は複数の送信機または反射体から受信装置において複数の受信信号に重畳されて到着するようになっており、その際これら信号は同時に１つの周波数チャネルにおいて伝送される。その際加入者信号の分離はＣＤＭＡ（Code Division Multiple Access）方法に従って行うことができる。これにより、方向および加入者信号に関連付けられたチャネル見積もりによって、ＣＤＭＡ移動無線システムにおいても、求めるチャネルパルス応答の精度を改善することができる。
最も簡単な場合、例えば、移動局ないし基地局の所在地に関する地球−地理上の考察または障害源からも結果的に生じる先験的な知識の方向情報に基づいて行うことができる。これにより、方向見積もりに対する別の計算コストは必要でない。
受信装置に十分な先験的な知識が存在しなければ、部分波および／または障害信号の入射方向を受信信号から突き止めると有利である。これにより、入射方向に対する連続的に更新される値を使用することができる。このことは、移動無線システムに対する用途には特別重要である。
部分波の入射方向を突き止めるために、高分解能の方向見積もり方法が利用される。例えばＭＵＳＩＣ（Multiple Signal Classification）またはＥＳＰＲＩＴ（Estimation of Signal Parameters via Rotational Invariance Techniques）方法のような高分解能の方向見積もり方法は、受信センサの複合的な放射特性の知識ないし受信センサの設置に対する所定の地球上の前提条件を利用して、正確でしかも僅かな信号処理で間に合う方向見積もりを行うようにしている。
部分波の入射方向を求めるために、付加的に、少なくとも１つの入射方向に関する情報および／または障害信号の相関マトリクスを考慮すれば、障害に対する強さは一層改善される。
本発明の有利な形態によれば、個々の加入者に配属されているが、方向選択性でないチャネルパルス応答が受信信号から突き止められかつ方向選択性でないチャネルパルス応答から少なくとも１つの部分波の入射方向が突き止められる。Ｋａ個の受信信号から求められた方向選択性でないチャネルパルス応答は方向見積もりに対する申し分ない生情報を形成する。というのは、既にチャネル影響が考慮されたからである。更に、この方向に無関係なチャネル見積もりに対して従来のチャネル見積もり装置を使用することができる。
本発明の方法が複数加入者システムに使用される場合、後での評価のために、求めるチャネルパルス応答を送信機ないし反射体に対応付けることが必要である。方向選択性のチャネルパルス応答を送信機ないし反射体に対して対応付けるために、加入者信号は個有のトレーニングシーケンスによって分離可能である。即ちトレーニングシーケンスはチャネル見積もりのためではなくて、加入者分離のためにも一緒に使用される。択一的に、方向選択性のチャネルパルス応答を送信機に対して対応付けるために、個別加入者コードを用いて加入者信号の拡散を解くことができ、これにより加入者信号は分離可能である。
部分波の入射方向を突き止めるために、本発明の別の実施の形態によれば、或る時間間隔にわたり突き止められた値の平均化が実施される。チャネルパルス応答のコヒーレント時間の数倍に相応する可能性がある時間間隔内で、入射方向は僅かしか変化しない。平均化により、方向見積もりが改善される。というのは、ランダムなエラーが低減されるからである。データを無線ブロックにおいて伝送する場合、１つの無線ブロックまたは複数の無線ブロックに対する平均化を実施することができる。その際、平均化のための無線ブロックの数、即ち、時間間隔は調整設定できるようにしておくことができ、その際入射方向に変化があると、時間間隔が変わるようにしておく。例えば移動局の移動が加速して、チャネル条件が変化すると、方向見積もりは一層短い時間間隔に制限することができる。
本発明の有利な実施形態によれば、方向選択性のチャネルパルス応答を突き止めることとデータを検出することとの間の関係が利用される。
即ち、１つの実施形態によれば、Ｋ個の加入者信号はデータを支持する部分とトレーニングシーケンスとから成り、その際Ｋ個の加入者信号のトレーニングシーケンスから派生する受信信号から、方向選択性のチャネルパルス応答が突き止められかつデータは、データを支持する部分から派生する受信信号から検出される。
その際、方向選択性のチャネルパルス応答を突き止めることおよびデータを検出することは１つの無線ブロックの加入者信号から実施することができる。これにより、データ検出のために、できるだけ実時点に近いチャネル見積もりが行われる。
択一的に、方向選択性のチャネルパルス応答を突き止めることおよびデータを検出することは異なった無線ブロックの加入者信号から実施することができる。これにより、例えば、チャネル見積もりおよびデータ検出のために並列処理を行うことができるかまたはチャネル見積もりを比較的大きな間隔をおいてだけ繰り返すことによって、このための計算コストを低減することができる。
即ち、入射方向および／または方向選択性のチャネル応答を、無線ブロックに関連付けられたフレーム構造より長い時間間隔に従った追従方法によって新たに突き止めることができるかまたは入射方向および／または方向選択性のチャネル応答に関する情報を、もしこれらが時間に依存していないかまたは僅かしか依存しているない場合には、受信装置において永続的に記憶しておくことができる。入射方向、方向選択性のチャネル応答に関する情報および／または障害に対する情報の更新は有利には、オペレーションおよび保守センターによって実施のきっかけを与えるようにすることができる。
次に本発明の対象を、図示の例を参照しつつ実施例に則して詳細に説明する。その際
第１図は、移動無線網のブロック図であり、
第２図は、無線インタフェースに対する無線ブロックのフレーム構造のブロック図であり、
第３図は、複数の受信センサが配属されている受信装置のブロック線図であり、
第４図は、方向選択性のチャネル見積もり器のブロック線図であり、
第５図は、検出装置のブロック線図である。
第１図に図示の移動通信システムはその構造が、公知のＧＳＭ移動無線網に相応している。即ちこの無線網は、複数の移動交換局ＭＳＣから成っており、これらは相互にネットワーク化されているかないし固定網ＰＳＴＮに対してアクセスできるようになっている。更に、この移動交換局ＭＳＣはそれぞれ少なくとも１つの基地局コントローラＢＳＣに接続されている。それぞれの基地局コントローラＢＳＣは少なくとも１つの基地局ＢＳとの接続を可能にする。
この種の基地局ＢＳは、無線インタフェースを介して、移動局ＭＳに対する通信接続を確立することができる無線局である。第１図には、２つの移動局ＭＳと１つの基地局ＢＳとの間の２つの無線接続が例示されており、一方の無線接続に対して家Ｐ１および木Ｐ２は、付加的な部分波を導く反射体である。オペレーションおよび保守センターＯＭＣは、移動局ないしその部分に対するコントロールおよび保守機能を実現する。この構造は、本発明を使用することができる別の移動無線網に転用可能である。
基地局ＢＳと移動局ＭＳとの間の通信接続はマルチパス伝搬を蒙っている。このマルチパス伝搬は、例えば建造物および樹木における反射によって直接伝搬に対して付加的に引き起こされる。移動局ＭＳの移動から出発すると、マルチパス伝搬は別の障害と一緒に、受信側の基地局ＢＳにおいて、加入者信号の種々の伝搬路の信号成分が時間に依存して重畳されるということになる。更に、種々の移動局ＭＳの加入者信号が受信場所において受信信号ｅ，ｍに重畳されることから出発する。受信側の基地局ＢＳの課題は、加入者信号において伝送されるデータｄを検出しかつ個々の加入者個々の通信接続路に割り当てることである。
第２図には、無線インターフェイスを介する加入者信号の伝送が示されている。その際無線インタエースは、周波数分割多重成分（ＦＤＭＳ）、時間分割多重成分（ＴＤＭＡ）およびコード分割多重成分（ＣＤＭＡ）から成っている。周波数軸ｆに沿った複数の周波数帯域は移動無線網のために設けられている。更に時間軸ｔが、時間フレーム毎に複数のタイムスロットから成る時間パターンにおいて、伝送が無線ブロックにおいて行われるように分割されている。複数の移動局ＭＳの加入者信号は加入者群Ｔ１ｎ１，Ｔ１ｎ２…Ｔ１ｎ１２０に割り当てられており、即ち１つの加入者群、例えば第１図の３つの移動局ＭＳに対するＴ１ｎ３の無線ブロックの間に、加入者信号は１つの受信信号ｅ，ｅｍに重畳され、これが基地局ＢＳにおける受信装置によって評価されるべきである。
１つの無線ブロック内で、加入者信号は、データを有する、データｄを支持する２つの部分から成っている。これら部分の真ん中には加入者個有のトレーニングシーケンスｔｓｅｑ１ないしｔｓｅｑｋが挿入されている。加入者信号は加入者コードｃによって相異しており、これによりデータを支持する部分内で、加入者固有のＣＤＭＡコードｃ（ｋ）（ｋ＝１…Ｋ）によって決められている送信機、従って加入者固有の微細構造によって区別される。以下に、加入者コードと表す、受信側では既知であるこのＣＤＭＡコードｃによって、加入者信号の分離が可能である。
第３図には、受信装置およびそれに配属されている受信センサＡが図示されている。この受信装置は基地局ＢＳの部分でありかつ送信側の移動局ＭＳから受信信号ｅ，ｍを受信する。以下に、基地局ＢＳに対して、受信例が説明されるが、通例は２面の通信接続が存在しているのであって、即ち基地局ＢＳは送信装置も有している。
Ｋａ＝４である受信センサＡはアンテナ装置を形成している。アンテナ装置はインテリジェントアンテナ装置として実現されており、即ちこのインテリジェントアンテナ装置の複数の受信センサＡは同時に受信信号ｅまたはｅｍを受信する。これら受信信号は、伝送品質が、１つの受信アンテナを有するシステムに比して改善されるように相互に組み合わされる。
受信信号ｅ，ｅｍから例えば、ベースバンドにおける伝送および引き続くＡＤ変換によってデジタル信号が生成されかつ受信装置において評価される。
受信装置は、複数のチャネル見積もり器ＪＣＥ、複数の方向見積もり器ＤＯＡＥ、１つの方向選択チャネル見積もり器ＪＤＣＥおよび１つの検出装置ＪＤＤを含んでいる。受信信号ｅ，ｅｍに対して付加的に、受信装置には、加入者の数Ｋ、そのトレーニングシーケンスｔｓｅｑ１，…，ｔｓｅｑＫおよびその加入者コードｃに関する知識a-priori-info（先験的な情報）が存在しており、場合によっては障害信号に対する情報も使用することができる。
チャネル見積もり器ＪＣＥには、受信センサＡの既にデジタル化されている受信信号ｅｍが供給される。これらチャネル見積もり器ＪＣＥにおいて、方向選択性ではないチャネルパルス応答ｇがガウス・マルコフまたは最尤推定によって突き止められる。チャネル見積もり器ＪＣＥ毎に、受信センサＡの受信信号が評価され、その際チャネル見積もり器ＪＣＥの出力側にそれぞれ、Ｋ個の方向選択的ではないチャネルパルス応答ｇが取り出される。この方向選択性ではないチャネルパルス応答ｇの計算は、Ｋ＝３の加入者信号のトレーニングシーケンスｔｓｅｑ１なしｔｓｅｑＫから派生する受信信号ｅｍ（ｋａ）（ｋａ＝１…Ｋａ）から行われる。
方向選択性ではないチャネルパルス応答ｇはそれぞれ、Ｋ個の方向見積もり器ＤＯＡＥに供給される。これら方向見積もり器は加入者に関連して、これら方向選択性ではないチャネルパルス応答ｇに基づいて方向見積もりを実施する。加入者信号毎に突き止められた入射方向の数はＫｄによって表される。この数Ｋｄは加入者信号毎に異なっている可能性がある。入射方向（ＤＯＡ＝Direction of Arrivalとも称される）を突き止める際に、１次元または２次元のユニタリ・エスプリット（UNITARY-ESPRIT）アルゴリズムが使用される。
方向選択性のチャネル見積もり器ＪＤＣＥにおいて、受信センサＡの、トレーシングシーケンスｔｓｅｑ１ないしｔｓｅａＫから派生する受信信号ｅｍ（ｋａ）および部分波の突き止められた入射方向ＤＯＡが処理されかつそこから方向選択性のチャネル応答ｈが突き止められる。このチャネル見積もりは、最尤推定法に基づいている。
更に、受信信号ｅ（ｋａ）（ｋａ＝１…Ｋａ）、突き止められた方向選択性のチャネルパルス応答ｈおよび突き止められた入射方向ＤＯＡは検出装置ＪＤＤに供給される。検出装置は、更に、加入者コードｃおよびＲｎの形の、障害信号の入射方向および移動局ＭＳの、基地局ＢＳに関する地理上の位置に関する付加的な知識a-priori-infoを処理する。
この検出装置ＪＤＤにおいて、データを支持する部分から派生する受信信号ｅ（ｋａ）に基づいてデータｄの検出が行われる。このために、ゼロ・フォーシング（zero-forcing）法が使用される。択一的な有利な方法は、最尤推定またはＭＭＳＥ法である。データ検出の結果において、１つの無線ブロックに対してＫ個の加入者信号の検出されたデータｄが検出装置ＪＤＤの出力側に現れる。
データ検出の方法的な考察では、第１のステップにおいて、チャネルパルス応答ｇが方向非同次性（Richtungsinhomogenitaeten）を考慮することなく実施される。第２のステップにおいて、突き止められたチャネルパルス応答ｇから１つまたは複数の部分波の入射方向ＤＯＡが突き止められ、これに基づいて第３のステップにおいて、受信信号から入射方向ＤＯＡを考慮して、方向選択性の、即ち種々異なった入射方向に対応付けることができるチャネルパルス応答ｈが突き止められる。このステップは、従来の、方向選択性ではないチャネルパルス応答ｇ（ｋ）（ｋａ）のそれぞれは、Ｋｄ個の方向選択性のチャネルパルス応答ｈ（ｋ）（ｋａ）（ただしｋ＝１…Ｋおよびｋａ＝１…Ｋａ）によって実現されているという認識に基づいている。
従って次式が成り立つ：
0003935969.tif 000002
ただし、ｋ＝１…Ｋおよびｋａ＝１…Ｋａ
その際ａ（ｋ）（ｋａ）（ｋｄ）は、方向選択性のチャネルパルス応答ｈ（ｋ）（ｋａ）を方向選択性でないチャネルパルス応答ｇ（ｋ）（ｋａ）に重畳するための複素重み付け係数である。方向選択性のチャネルパルス応答を突き止めるために場合によっては、障害となる部分波の入射方向または相関マトリクスに関する認識も利用することができる。
ｇ（ｋ）（ｋａ）における見積もるべき全部のパラメータの数Ｗ・Ｋ・Ｋａ（ｋ＝１…Ｋ，ｋａ＝１…Ｋａ）はマルチアンテナシステムでは通例、ｈ（ｋ）（ｋａ）における見積もるべき全部のパラメータの数Ｗ・Ｋ・Ｋｄ（ｋ＝１…Ｋ，ｋｄ＝１…Ｋｄ）より著しく大きい。それは、Ｋａ＞Ｋｄだからである。これにより、本発明の方法によりパラメータを見積もる際の計算コストを低減することができる。
有利には加入者信号のトレーニングシーケンスから派生しかつＫａ個の受信センサの受信信号ｅｍ（ｋａ）（ｋａ＝１…Ｋａ）を含んでいる組み合わされた受信信号ｅｍの受信の期間に、この受信信号ｅｍは次式を有している：
ｅｍ＝Ｇ・ｈ＋ｎｍ                  （２）
ただしＧは周知のマトリクス（Ｌ＊Ｋａ）×（Ｗ＊Ｋ＊Ｋｄ）であり、ここでＬは受信信号ｅｍの時間離散的な標本値の数でありかつＷはチャネルパルス応答の長さを表している。このマトリクスＧは、Ｋａ個の受信センサの幾何学的な配置および複素特性曲線、送信されたトレーニングシーケンスおよびＫｄ個の入射方向ＤＯＡによって決められている。ベクトルｈは、Ｋ＊Ｋｄ個の方向選択性のチャネルパルス応答ｈ（Ｋ）（Ｋｄ）・ｎｍの時間離散的なベースバンド等価値を含んでおり、時間離散的な障害信号の未知の（Ｌ＊Ｋａ）列べクトルを表している。
式（１）からＧおよびｅｍはわかるので、方向選択性のチャネルパルス応答ｈを突き止めることができる。
データを支持する部分の期間、受信センサの受信信号ｅ（ｋａ）の組み合わされた受信信号ｅは次式を有している：
ｅ＝Ａ・ｄ＋ｎ                      （３）
上式中、Ａは（Ｍ＊Ｋａ）×（Ｎ＊Ｋ）マトリクスであり、ここでＭは受信信号の離散的な標本時点の数でありかつＮは加入者毎に伝送されるデータシンボルの数を表している。ｎはこの場合も、時間離散的な障害信号の未知の（Ｍ＊Ｋａ）列ベクトルである。
式（３）においてＡ（Ｋ＊Ｋｄ個の入射方向、方向選択性のチャネルパルス応答ｈ、受信センサの幾何学的な配置および複素特性曲線によってかつＣＤＭＡ加入者分離を使用する場合には利用される加入者コードによって）およびｅはわかっているので、データｄを検出することができる。
第４のステップにおいて、Ｋ個の加入者信号のデータを支持する部分から派生する受信信号ｅから、その前に突き止められた入射方向ＤＯＡおよび方向選択性のチャネルパルス応答ｈを使用して、データｄが検出される。このステップでは、場合によっては、障害信号の入射方向、電力、スペクトルまたは共変マトリクスに関する認識も利用することができる。
方向選択性のチャネルパルス応答は有利には、ガウス・マルコフ推定法に従って突き止められ、その際方向選択性のチャネルパルス応答ｈに対する推定値
0003935969.tif 000003
は次式：
0003935969.tif 000004
から計算することができる。
0003935969.tif 000005
は、障害となる部分波の入射方向および相対電力、障害信号のスペクトル、並びに受信センサの幾何学的な配置および複素放射特性曲線によって決められている、障害信号ｎｍの共変マトリクスを表している。この方法は、方向選択性のチャネルパルス応答ｈの最尤推定法に対応しておりかつ（４）の再帰的な解法によってコストの面で有利にに実施することができる。
方向見積もりと、方向選択性のチャネル応答を突き止めることと、データ検出との間の関係は次のように利用される。Ｋ個の加入者信号はデータを支持する部分とトレーニングシーケンスとから成っており、その際Ｋ個の加入者信号のトレーニングシーケンスから派生する受信信号から、方向選択性のチャネルパルス応答が突き止められかつデータがデータを支持する部分から派生する受信信号から検出される。
また、コストを低減するために、入射方向ＤＯＡおよび／または方向選択性のチャネルパルス応答ｈを、追従方法によって、無線ブロックに関連付けられたフレーム構造より長い時間間隔後に、新たに突き止めることができる。
第４図には、方向選択性のチャネル見積もり器ＪＤＣＥが示されている。これはビーム形成器ＢＦを含んでいる。これは、Ｋａ個の受信信号ｅｍ（ｋａ）に対してそれぞれ、ビーム形成器個有の重み付け係数ｗ１〜ｗ４ないしｗ５〜ｗ８による重み付けおよび加算器装置Ｓでの、信号成分の１つの信号への加算を行う。
この信号に対してＳＮ比は最大化されて、この信号は引き続いて相関を解く信号整合されたフィルタＤＭＦに供給される。干渉を除去するための装置ＩＣにおいて、固有干渉ＳＩおよび相互干渉ＣＩが補償されかつ方向選択性のチャネルパルス応答ｈが得られる。
ビーム形成器ＢＦにおいて、付加的に部分波の入射方向ＤＯＡおよび障害となる部分波の方向および相対電力に関する情報が処理される。これらの方向は、それぞれのビーム形成器ＢＦに対する重み付け係数ｗ１〜ｗ４ないしｗ５〜ｗ８に個有に影響を及ぼす。ビーム形成器ＢＦおよび相関解除する信号整合されたフィルタＤＭｆは、それぞれ部分波に（従ってｋ＊Ｋｄ）使用される空間的に分解する相関を解く信号整合されたフィルタのように作用する。
第５図には、検出装置ＪＤＤが示されている。この検出装置ＪＤＤは、受信信号ｅのデータを支持する部分を処理し、その際方向選択性のチャネル見積もり器ＪＤＣＥにおける上述した手法に相応して、空間的に分解する相関を解く信号整合されたフィルタＳＮ比を最大化するために受信信号ｅのｋ＊Ｋｄ個の部分波を重畳する。ＳＮ比のこの最大化はそれぞれの加入者信号のそれぞれの入射方向ＤＯＡに対して実施され、その際加入者信号の個別部分波のＫｄ個の信号成分は最大値比結合（maximum-ratio-combining）方法に従って加算器装置Ｓ１ないしＳＫにおいて重畳される。
加入者信号は引き続いて干渉を除去するための装置ＩＣに供給される。この装置はシンボル間干渉ＩＳＩおよび多重アクセス（Multiple Access）干渉ＭＡＩを補償する。その際、加入者コードｃ、入射方向ＤＯＡ、方向選択性のチャネルパルス応答ｈおよび場合によりＲｎの形の、障害に関する先験的な知識に関する情報も処理される。干渉を除去するための装置ＩＣの出力側に、加入者信号の検出されたデータｄが分離されて現れる。干渉を取り除く際、所謂ＪＤ（Joint Detection）法が使用される。
本発明の受信装置によって、受信信号の時間的なばらつき（dispersion）および分散（variance）が低減される。更に、空間的な分解によって、比較的大きな数の移動局ＭＳを１つの基地局ＢＳの１つの無線領域において扱うことができもしくは無線領域を指向作用によって、移動局ＭＳの送信電力も低減されるように構成することができる。
【図１】
0003935969.tif 000006
【図２】
0003935969.tif 000007
【図３】
0003935969.tif 000008
【図４】
0003935969.tif 000009
【図５】
0003935969.tif 000010